(57)【要約】【課題】番組録画装置が保持する録画済番組を、再生装置が再生可能であることを再生装置において確認可能な番組録画装置、番組録画管理システム及び録画番組管理方法を提供する。【解決手段】実施形態の番組録画装置は、録画済番組リスト保持部と、結合録画済番組リスト作成部と、マネージャ装置と、を具備する。録画済番組リスト保持部は、第１の記録装置が記録した番組の情報及び第１の記録装置と独立の第２の記録装置が記録した番組の情報を、それぞれの記録装置ごとに保持する。結合録画済番組リスト作成部は、録画済番組リスト保持部が保持する第１及び第２の記録装置が記録した番組の情報を一体化した結合録画済番組リストを生成する。管理部は、再生装置からの再生可能な番組のリスト要求に従い、結合録画済番組リスト作成部が保持する結合録画済番組リストから再生装置が再生可能な番組のリストを生成し、生成した再生可能な番組のリストを再生装置へ送り返す。【選択図】図１
2012034236.tif 000002
【特許請求の範囲】
【請求項１】
第１の記録装置が記録した番組の情報及び第１の記録装置と独立の第２の記録装置が記録した番組の情報を、それぞれの記録装置ごとに保持する情報保持部と、
前記録画済番組リスト保持部が保持する第１及び第２の記録装置が記録した番組の情報を一体化した結合録画済番組リストを生成すると、
再生装置からの再生可能な番組のリスト要求に従い、前記結合録画済番組リスト作成部が保持する結合録画済番組リストから再生装置が再生可能な番組のリストを生成し、生成した再生可能な番組のリストを再生装置へ送り返す管理部と、
を具備する録画管理システム。
【請求項２】
前記再生装置が再生可能な番組のリストは、再生装置の動作状態、再生装置が再生可能な録画記録モード及びフォーマット、あるいは番組に固有の再生許可条件等の少なくとも１つに基づいて生成される請求項１記載の録画管理システム。
【請求項３】
前記再生装置が再生可能な番組のリストは、番組の再生が再生装置の動作に影響を及ぼすことのない条件に基づいて生成される請求項２記載の録画管理システム。
【請求項４】
前記再生装置が再生可能な番組のリストは、番組の再生が再生装置の動作に影響を及ぼすことのない条件に基づいて生成される請求項２記載の録画管理システム。
【請求項５】
前記再生装置が再生可能な番組のリストは、番組に固有の制限情報に基づいて設定される請求項２記載の録画管理システム。
【請求項６】
前記再生装置が再生可能な番組のリストは、再生装置が番組を再生可能であること、もしくは再生可能状態が設定できることに基づいて設定される請求項４または５記載の録画管理システム。
【請求項７】
前記マネージャ装置は、ネットワークを通じて第１及び第２の記録装置、及び再生装置とは異なる端末装置からのアクセス及び再生装置に対する指示の受け入れが可能である請求項１〜６のいずれかに記載の録画管理システム。
【請求項８】
第１の記録装置が記録した番組の情報及び第１の記録装置と独立の第２の記録装置が記録した番組の情報を、それぞれの記録装置ごとに保持する情報保持部と、
前記録画済番組リスト保持部が保持する第１及び第２の記録装置が記録した番組の情報を一体化した結合録画済番組リストを生成すると、
再生装置からの再生要求に従い、前記結合録画済番組リスト作成部が保持する結合録画済番組リストから再生装置が再生可能な番組のリストを生成し、生成した再生可能な番組のリストを再生装置において確認可能に用意する管理部と、
を具備する番組録画装置。
【請求項９】
前記マネージャ装置は、ネットワークを通じて第１及び第２の記録装置、及び再生装置とは異なる端末装置からのアクセス及び再生装置に対する指示の受け入れが可能である請求項８記載の番組録画装置。
【請求項１０】
第１の記録媒体が保持する番組の情報及び第１の記録媒体と独立の第２の記録媒体が保持する番組の情報を、記録媒体に関連づけて保持し、
それぞれの記録媒体が保持する番組の情報を一体化し、
再生要求先が確認可能に、一体化した番組の情報を、再生要求に従い変更する録画番組管理方法。
【請求項１１】
一体化した情報の再生要求に従う変更は、ネットワークを通じて指示可能である請求項１０記載の録画番組管理方法。
【請求項１２】
一体化した情報の再生要求に従う変更は、第１及び第２の記録媒体とは異なる指示端末により、指示可能である請求項１１記載の録画番組管理方法。
【発明の詳細な説明】
【技術分野】
【０００１】
本発明の実施形態は、番組録画装置が保持する録画済番組を、再生装置が再生可能であることを再生装置において確認可能な番組録画装置、番組録画管理システム及び録画番組管理方法に関する。
【背景技術】
【０００２】
番組を録画する番組録画装置（レコーダ）や、録画機能を有するテレビジョン受信装置（テレビ装置）は、例えば家庭内において、複数保有されることが少なくない。
【先行技術文献】
【特許文献】
【０００３】
【特許文献１】特開２００５−４５６２７号公報
【発明の概要】
【発明が解決しようとする課題】
【０００４】
複数の番組録画装置を保有する場合、同一番組を２以上の番組録画装置で録画することもある。
【０００５】
本発明の目的は、番組録画装置が保持する録画済番組を、再生装置が再生可能であることを再生装置において確認可能な番組録画装置、番組録画管理システム及び録画番組管理方法を提供することである。
【課題を解決するための手段】
【０００６】
実施形態によれば、番組録画装置は、録画済番組リスト保持部と、結合録画済番組リスト作成部と、マネージャ装置と、を具備する。録画済番組リスト保持部は、第１の記録装置が記録した番組の情報及び第１の記録装置と独立の第２の記録装置が記録した番組の情報を、それぞれの記録装置ごとに保持する。結合録画済番組リスト作成部は、録画済番組リスト保持部が保持する第１及び第２の記録装置が記録した番組の情報を一体化した結合録画済番組リストを生成する。管理部は、再生装置からの再生可能な番組のリスト要求に従い、結合録画済番組リスト作成部が保持する結合録画済番組リストから再生装置が再生可能な番組のリストを生成し、生成した再生可能な番組のリストを再生装置へ送り返す。
【図面の簡単な説明】
【０００７】
【図１】実施形態を適用するシステムの一例を示す図。
【図２】実施形態を適用する予約の一例を示す図。
【図３】実施形態を適用する予約の一例を示す図。
【図４】実施形態を適用する予約の一例を示す図。
【図５】実施形態を適用する予約の一例を示す図。
【図６】実施形態を適用する表示の一例を示す図。
【図７Ａ】実施形態を適用するシステムの一例を示す図。
【図７Ｂ】実施形態を適用するシステムの一例を示す図。
【図８】実施形態を適用する機器情報の表示の一例を示す図。
【図９Ａ】実施形態を適用する受信情報の解析の一例を示す図。
【図９Ｂ】実施形態を適用する受信情報の解析の一例を示す図。
【図１０】実施形態を適用する録画済番組リストの一例を示す図。
【図１１】実施形態を適用する録画済番組リストの一例を示す図。
【図１２】実施形態を適用するシステムで用いる端末装置の一例を示す図。
【図１３】実施形態を適用するシステムの一例を示す図。
【発明を実施するための形態】
【０００８】
以下、実施の形態について図面を参照して説明する。
【０００９】
図１は、実施形態を適用する番組録画装置の一例を示す。なお、以下に説明する各要素及びまたは構成もしくは「モジュール」と呼称する要素はハードウエアで実現するものであってもよいし、マイクロコンピュータ（処理装置やＣＰＵ）等を用いてソフトウエアで実現するものであってもよい。
【００１０】
図１に示す番組録画管理システム１０１は、単一のユーザによる複数利用、あるいは家庭内（または同一視聴契約内）等に代表され、番組の相互再生が認められている閉じたネットワーク内に用意される任意台数の番組録画装置（群）、番組録画装置（群）のそれぞれの録画済番組と録画予約状況を保持し、ネットワークによる制御、例えば録画予約の追加等を設定可能なマネージャ装置１０、マネージャ装置１０と番組録画装置（群）との間で、コンテンツ（番組、またはタイトルと称することもある）及び制御信号等の受け渡し（送受信あるいは入出力）を受け持つ接続部１００を、少なくとも含む。
【００１１】
接続部１００は、マネージャー装置１０が接続されているネットワーク（インターネット）と番組録画装置（群）が接続されている家庭内ネットワークを接続するもので、一般的にはルータと呼ばれる装置が使われる。
【００１２】
なお、マネージャー装置１０は、上述の番組録画装置（以下に一例を示す）あるいは、ユーザが保有するＰＣ（Personal Computer）をホームサーバとして設定し、このサーバ上のアプリケーションとして構成することも可能である。
【００１３】
番組を録画できる任意台数の番組録画装置は、第１のレコーダ（Recorder）＜１＞１１０、第２のレコーダ＜２＞１２０、第３のレコーダ＜３＞１３０、録画機能が用意されたテレビジョン受信装置（以下、テレビ装置と称する）１４０、第１のＰＣ（Personal Computer）＜１＞１５０、第２のＰＣ（ＰＣに限らず携帯可能なモバイルコンピュータ（Mobile Computer）やスマートフォンと呼ばれる端末装置であってもよい）＜２＞１６０、及びレコーダ＜１＞１１０等の外部記憶装置として利用される、例えば、ＵＳＢ（Universal Serial Bus）を通じて接続するＨＤＤ１７０や、ネットワークを通じて接続する記憶装置、例えばＬＡＮ（ＬＡＮ（Local Area Network）−Ｄｉｓｋ（ＨＤＤ）やＮＡＳ（Network Attached Storage）−ＨＤＤ（Hard Disk Drive）等も利用可能である。さらに、例えばBluetooth（登録商標）／ブルートゥース（登録商標）が用意され、それらを経由して、データの受け渡しが可能なレコーダ装置やＨＤＤ装置、もしくは携帯可能な端末装置が接続されてもよい。
【００１４】
なお、図１に示す番組録画装置のそれぞれにおいて、レコーダ＜１＞１１０、レコーダ＜２＞１２０、及びレコーダ＜３＞１３０は、同一の構成（機種）であってもよい。また、それぞれの番組録画装置は、詳細な説明を省略するが、接続される表示装置（あるいはテレビ装置１４０）に映像出力としてＧＵＩを表示する表示制御部、任意の放送を受信可能なチューナ、再生対象の番組の映像を接続される表示装置に出力する映像出力部、同じく番組の音声を再生する音声再生部、同じく番組の映像及び音声を記録する記録部、（記録部に対する）録画予約の登録と解除あるいは消去の指示入力が可能な入力部、及び録画予約の登録を記憶する予約保持部、等を少なくとも含む。
【００１５】
一方、図１に示す番組録画装置のそれぞれにおいて、レコーダ＜１＞１１０、レコーダ＜２＞１２０、及びレコーダ＜３＞１３０は、それぞれ異なる構成（機種）である場合がある。
【００１６】
例えば、レコーダ＜１＞１１０が、ＢＳデジタル放送、ＣＳデジタル放送、地上デジタル放送及びネットワークを経由して配信される番組を録画可能で、レコーダ＜２＞１２０及びレコーダ＜３＞１３０が、地上デジタル放送のみを録画可能で、他のレコーダで録画された番組を、家庭内ネットワークを経由して（またはＤＬＮＡ接続により）相互に再生可能である、等である。以下、レコーダ＜１＞１１０は、テレビ装置１４０から表示部を除外したと同等程度の機能を有し、レコーダ＜２＞１２０及びレコーダ＜３＞１３０は、チューナが受信する放送形式がレコーダ＜１＞１１０とテレビ装置１４０に比較して簡素化（地上デジタル放送専用化）された以外は、レコーダ＜１＞１１０あるいはテレビ装置１４０と同等程度の機能を有するものとして実施形態を説明する。なお、個々の機器は、ＤＮＬＡ−ＤＭＰ（Digital Media Player）対応であることが好ましい。また、個々の機器は、ＤＮＬＡ−ＤＭＰ（Digital Media Player）対応であることが好ましい。また、レコーダ＜１＞１１０及びレコーダ＜２＞１２０は、再生可能な動画ファイルの形式として「ＭＰＥＧ−２」と「ＭＰＥＧ−４（Ｈ−２６４ＡＶＣ）」をサポートし、レコーダ＜３＞１３０は、「ＭＰＥＧ−２」のみをサポートする、等の再生可能なファイル形式、もしくは記録モードに違いがあるものとする。
【００１７】
なお、それぞれのレコーダ＜１＞１１０、レコーダ＜２＞１２０及びレコーダ＜３＞１３０においては、記録部（映像音声記録装置）は、例えばＨＤＤのみが装備されている、あるいは光ディスクやメモリカード（ＳＤカード）との間で映像及び音声の記録と再生が可能、もしくはＵＳＢあるいはＬＡＮを介して接続可能な記録装置との間で映像及び音声の記録と再生が可能、等の対応するメディア（記録媒体）が異なるものであってもよい。
【００１８】
テレビ装置１４０は、例えば、チューナ（Tuner）、チューナが選局（選択）した番組を再生するための様々な信号処理を受け持つ信号処理部（ＤＳＰ（Digital Signal Processor））、映像及び音声を記録する記録部（映像音声録画装置）、チューナが選局した番組の映像を表示する表示部、チューナが選局した番組の音声を再生する音声再生部、チューナ装置が選局した番組、すなわち映像及び音声を、レコーダ＜１＞１１０、レコーダ＜２＞１２０またはレコーダ＜３＞１３０等の記録装置に、デジタル信号で供給する映像音声出力部、表示部にＧＵＩ（Graphical User Interface）を表示する表示制御部、及び装置全体の信号制御及び各構成相互の信号のタイミング管理等を受け持つ主制御部（（Main Control Unit）、制御ブロックと称することもある）、及びネットワークコントローラ等、を含む。ネットワークコントローラとしては、ＤＬＮＡ−ＤＭＣ（Digital Media Controller）からの制御信号を受け付ける機能を少なくとも有することが好ましい（上述のＤＮＬＡ−ＤＭＳ（Digital Media Server）対応であることが好ましい。
【００１９】
なお、テレビ装置１４０は、記録部への録画予約の登録や解除（消去）の指示（入力）が可能な入力部、及び録画予約の登録を受け付け記憶する予約保持部等、を含む。また、テレビ装置１４０は、映像（Video）を再生するモニタと音声（Audio）を再生するスピーカとが一体に設けられたものであってもよいし、それぞれが独立して用意されているものであってもよい。
【００２０】
チューナは、例えば、地上デジタル放送、ＢＳ（Broadcasting Satellite、放送衛星を介して提供される）デジタル放送、ＣＳ（Communication Satellite、通信衛星を通じて提供される）デジタル放送、地上アナログ放送、等を受信可能で、テレビ装置１４０と一体に設けられてもよいし、分離して独立に設けられてもよい。なお、番組供給元として、ネットワーク（通信網）上のサーバ、あるいは配信局（地域ネットワーク基地局）等も利用可能であり、ネットワークを介して提供される番組を選局（選択）するためのチューナとして機能する、例えば、ＳＴＢ（Set Top Box）あるいは、ホームサーバ（Home Saver）等が併用されてもよいし、一体に用意されてもよい。
【００２１】
信号処理部は、例えば、地上デジタル放送を受信する場合は、チューナで選局された受信信号から番組供給元（放送局）すなわちＣＡＳ（Conditional Access System）事業体の情報やＣＡＳ事業体が用意した契約情報等を含む管理情報と番組を含んだトランスポートストリーム（Transport Stream，ＴＳ）を分離するＴＳ分離部、ＴＳ分離部で分離した管理情報からＣＡＳ事業体が提供する識別情報（ＣＡＳカード）を用い、暗号化キー（鍵）を解除（デスクランブル）し、番組を構成する映像信号及び音声信号すなわちＰＥＳ（Packetized Elementary Stream）を得るデスクランブラ部、ＰＥＳから映像信号（Video）と音声信号（Audio）を得る分離部、分離された映像信号及び音声信号をデコードするデコーダ（Decoder）等を含む。
【００２２】
なお、ＣＡＳカードは、デジタル放送における限定受信を実現するための契約情報等を保持し、受信装置（テレビ装置１４０、レコーダ＜１＞１１０、レコーダ＜２＞１２０、レコーダ＜３＞１３０、・・・）側で参照するものである。また、ネットワークを介した番組の配信においては、受信装置に用意されるソフトウエアにおいてＣＡＳカードに相当する機能を持たせることで、限定受信を実現する例が一般的である。また、国内のデジタル放送においては、ＣＡＳカードは、社団法人電波産業会（ＡＲＩＢ）が管理するＡＲＩＢ  ＳＴＤ−Ｂ２５に準拠したＣＡＳカードのほか、放送事業者が独自に制定した仕様に基づくＣＡＳカードが存在するが、詳細な説明は省略する。
【００２３】
記録部（映像音声録画装置）は、例えば、ＨＤＤを含み、映像及び音声すなわち番組を所定の記録方式（モード）及びレートで記録する。なお、記録時に、図示しないエンコーダ（Encoder）がエンコードすることはいうまでもない。また、記録部（映像音声録画装置）は、例えばＳＤ（Secure Digital）カードと呼ばれる半導体メモリ（メモリカード）へ映像及び音声を記録し、また既に記録されている映像及び音声を再生するリーダ／ライタ（Reader/Writer）や、例えばＤＶＤ（Digital Versatile Disk）規格に代表される光ディスクへの映像及び音声の記録と光ディスクからの映像及び音声の再生が可能なディスクドライブユニット等が、組み合わせて用意されてもよい。もちろん、映像出力として、例えばＤＶＩ（Digital Visual Interface）が用意されてもよい。
【００２４】
表示部は、例えば、液晶（ＬＣＤ、Liquid Crystal Display）パネルであり、所定の解像度を有する。なお、外部接続されたモニタ装置もしくは別のテレビ装置であってもよいことはいうまでもない。
【００２５】
音声再生部は、デコードされた音声信号を再生するスピーカ等、及び外部出力端子に、音声出力を供給する。なお、光デジタル出力であってもよい。すなわち、光デジタル出力は、モニタ装置（プロジェクタ装置等を含む）とＡＶ（Audio Visual）アンプ装置等の組み合わせに対して有益である。
【００２６】
映像音声出力部は、ＨＤＭＩ（High-definition Digital Media Interface）に準拠したコネクタ及びケーブルを含み、ＨＤＭＩケーブルを介して接続される、例えばレコーダ＜１＞１１０及びレコーダ＜２＞１２０等に、それぞれが再生可能な最適な条件のデジタル信号で、デコードされた番組の映像及び音声を、供給する。
【００２７】
主制御部は、上記各部（要素）すなわちテレビ装置全体の信号制御、及び上記各部（要素）相互の信号のタイミング管理等を受け持つ。
【００２８】
なお、テレビ装置１４０やレコーダ＜１＞１１０、レコーダ＜２＞１２０、あるいはレコーダ＜３＞１３０等においては、通常、コンセントが抜かれている等の物理的に通電が困難な状況下以外において、電力消費の比較的大きな要素を除く主制御部等への２次電源（ＤＣ（直流）３１Ｖあるいは２４Ｖもしくは５Ｖ等）が、通常確保されており、予め規定された時刻に、内蔵する、または外部記憶装置として接続される記憶装置等を起動することができる。また、チューナが含む地上デジタルチューナが受信する地上デジタル放送から、ＴＯＴ（Time Offset Table）と呼ばれる「時刻情報」を、常時取得できる。
【００２９】
マネージャ装置１０は、通信部１１、アカウントマネージャ１２、グループ番組予約一覧管理部１３、番組データ保持部１４、予約調整部１５、録画済番組リスト保持部１６、録画番組一覧管理部（結合録画済番組リスト作成部）１７、他を含む。なお、マネージャ装置１０は、例えば家庭内、あるいは企業（オフィス）内のグループといった信頼できる単位で作成される。また、グループへのアクセス権は、サーバ上に（マネージャ装置に）作成された上述のグループへ、メンバーＩＤを登録することで可能となる。一方、個々の番組録画装置（レコーダ＜１＞１１０及びＨＤＤ１７０、レコーダ＜２＞１２０、レコーダ＜３＞１３０、テレビ装置１４０、ＰＣ（Personal Computer＜１＞）１５０、及びＰＣ＜２＞（Mobile Computer）１６０）は、それぞれからメンバーＩＤを使って上述のグループへアクセスした際に、機器管理ＩＤ（ＭＡＣ（Media Access Control）アドレス）が参照されて、自動的に登録される。
【００３０】
通信部１１は、上述の接続部１００との間及びでコンテンツ（番組）及び制御信号等の受け渡しを受け持つ。通信部１１はまた、クラウドコンピューティング（ネットワーク／インターネット）上に公開されているＰＩＭ（Personal Information Manager）データ標準に準拠したスケジュール管理アプリケーション、例えば「ｉカレンダサーバ（i Calendar Store server）」に予め用意された「ｉカレンダ（i Calendar）」との間の情報の書き込み及び読み出しが可能である。なお、「ｉカレンダ」は、今日、モバイルＰＣ（図１のＰＣ＜２＞１６０に相当）、ＰＤＡ（Personal Digital assistant）、スマートフォン等に代表される携帯端末、及び携帯電話装置に実装されている、あるいはサポートしている場合が多く、同アプリケーションをサポートした（実装されている）任意の端末装置を用いる他のユーザがアップデートした予定、等を閲覧できる。また、「ｉカレンダ」は、送信プロトコルに依存しないため、上述のネットワーク上でスケジュールを共用できる。
【００３１】
通信部１１はまた、ネットワーク網を経由したＥ−メールの送受信、及び外部サーバ、例えば地上デジタル放送の電子番組表（ＥＰＧ）を保持したプログラムサーバ（ＴＶプログラムサーバ（TV program Store server））へのアクセス及び同サーバからのＥＰＧデータの取得が可能である。また、接続部１００は、例えばＬＡＮ（Local Area Network）コントローラを含み、接続される個々の番組録画装置の録画予約状況、録画済番組情報、残り記録容量、及び個々の番組録画装置のアカウント情報、等をマネージャ装置１０の通信部１１を通じて、マネージャ装置１０のアカウントマネージャ１２に通知する。
【００３２】
より詳細には、通信部１１は、図６に表示の一例を示す「ｉカレンダ」に、マネージャ装置１０が管理する上述の任意の番組録画装置からの録画予約を、グループ番組予約一覧部１３を通じて書き込む（アップデートする）。なお、「ｉカレンダ」は、同アプリケーションを実装した、あるいはサポートする任意の端末装置を用い、ネットワーク（インターネット／クラウドコンピューティング）に接続可能であれば任意に利用でき、例えば図７に示すように、各端末装置に用意されたスケジュール表示機能により、上述の任意の番組録画装置において録画予約されている番組の情報や、新規な録画予約が可能であるか、等の情報を、例えば外出先、あるいは勤務先もしくは自宅へ向かう経路上等の制約を受けることなく、随時、確認できる。また、必要に応じて、新規の録画予約の設定（追加）等も随時可能である。
【００３３】
アカウントマネージャ１２は、上述の番組録画装置を保持したユーザまたはユーザが保持する番組録画装置のアカウント情報を取得し、アカウントを管理するアカウント管理部１２−１、個々の番組録画装置の録画可能状況を取得し、録画可能機器を設定する機器情報管理部１２−２、個々の番組録画装置の録画予約リスト、及び録画済番組リストを保持する予約リスト管理部１２−３を含む。
【００３４】
上述の録画予約リストおよび／あるいは録画済番組リストからなるリスト情報は、予約リスト管理部１２−３において、上述のグループに登録されている番組録画装置毎のリストとして保持される。なお、予約リスト管理部１２−３は、機器情報管理部１２−２が保持する機器情報を用いて、上述の録画装置毎のリストをフィルタリングあるいはマージ＜merge，［合成、併合、結合］＞してグループ番組予約リストあるいはグループ録画済リストを生成する。
【００３５】
アカウント管理部１２−１が管理する情報としては、例えば    
ア＞視聴が有料である番組あるいは視聴が無料ではあるが視聴契約を必要とする番組（視聴契約を必要とする番組提供事業者を含む）についてのアカウントの有無、    
等であり、例えば、上述の任意の番組録画装置から特定の番組提供事業者が提供する番組の録画予約（録画要求）があった場合、その番組提供事業者との間の契約、すなわちアカウントの有無をチェックし、録画予約の可否を判定する。
【００３６】
機器情報管理部１２−２が管理する情報としては、例えば    
１＞ＢＳ放送、あるいはＣＳ放送を受信可能な受信契約の有無（ＣＡＳカードの有無、及び契約の有無）、及びアンテナの接続状況、    
２＞ネットワークを経由してユーザが希望する番組を取得可能に提供する番組配信事業者との間の受信契約の有無、及びネットワークとの接続契約の有無、及び回線速度、    
３＞地上デジタル放送の受信を可能とするＣＡＳカードの有無（地上デジタル放送の放送事業者に対する受信登録の有無）、    
４＞番組録画のための記録容量すなわちＨＤＤの空き容量、    
５＞既に予約されている録画予約の状況、すなわち録画予約をしようとしている時間及びその前後の録画予約の有無、    
６＞録画予約を受け付ける場合の受付可能時間（予約しようとする番組の開始の何分前まで録画予約が可能であるか）、    
７＞Ｅ−メールによる録画予約を受け付ける時間と録画予約しようとする番組の開始時間（録画予約を送信した場合に、対象の録画機器が録画予約を受け付けるか否か）、    
等であり、例えば、上述の任意の番組録画装置から特定の番組提供事業者が提供する番組の録画予約（録画要求）があった場合、録画要求のあった番組録画装置がその番組を録画可能であるか否かをチェックする。なお、例えば、ＣＡＳカードは、ＢＳ放送と地上デジタル放送を受信可能なＢ−ＣＡＳカードと地上デジタル放送のみを受信可能なＣ−ＣＡＳカードとがあり、アカウント管理部１２−１が管理するアカウント情報と併せて、個々の番組録画装置が録画可能な番組及び放送事業者、等を識別する。
【００３７】
予約リスト管理部１２−３は、上述の番組録画装置それぞれの録画予約状況を、上述の機器情報管理部１２−２が参照可能に、番組予約一覧（リスト）として保持する。なお、番組予約一覧リストは、図示する通り、番組録画装置毎に用意される。
【００３８】
グループ番組予約一覧管理部１３は、上述のアカウントマネージャ１２の予約リスト管理部１２−３が保持する個々の番組録画装置に録画予約された番組を統合予約表（リスト）として一括して保持するとともに、上述した通信部１１を通じ、上述の「ｉカレンダ（i Calendar）」が保持する上述の個々の番組録画装置の録画予約を更新（アップデート）する。なお、グループ番組予約一覧管理部１３が保持する統合予約表は、任意の番組録画装置において、その番組録画装置における録画予約リストを表示させた場合、後段に説明するが、マネージャ装置１０が管理する他の番組録画装置において予約されている録画予約も同時に表示できる。
【００３９】
番組データ保持部１４は、アカウントマネージャ１２のアカウント管理部１２−１及び機器情報管理部１２−２により録画予約状況が管理されている上述の個々の番組録画装置が録画可能な任意の番組の番組データを、録画要求のあった番組録画装置が取得可能に、提供する。なお、番組データは、上述したＴＶプログラムサーバが提供するＥＰＧ（電子番組表）や、上述の番組録画装置を提供する製造メーカが独自に用意したサーバ、及び視聴が無料ではあるが視聴契約を必要とする番組を提供する番組提供事業者が提供する番組一覧（コンテンツテーブル）等を複製したもの、あるいはそれらを統合した一覧表（統合番組表）のいずれであってもよい。
【００４０】
個々の番組録画装置は、上述のグループ番組予約リストあるいは録画済リストが必要になった場合、すなわち録画予約の新規登録（録画予約の設定）あるいは録画予約の重複のチェック時に、マネージャ装置１０へリクエストを送る。
【００４１】
マネージャ装置１０は、同リクエストに応じて、予約リスト管理部１２−３にてデータベースをフィルタリングして、要求に応じたリストを作成し、リクエストを送信した番組録画装置に返信する。
【００４２】
個々の番組録画装置は、このリストを受け取り、すでに録画予約されていないかを確認し、重複していることがチェックできた場合、ＧＵＩ（Graphical User Interface）あるいはアイコン等を用い、録画予約が重複していることを、表示する。なお、録画予約が重複している場合において、一方の番組録画装置の録画予約を削除する場合、ローカルネットワークを用いた「録画削除リクエスト」を送信する手段あるいは機能を、双方の番組録画装置がサポートしている場合は、これを用いる。この削除処理を終えた後、サーバすなわちマネージャ装置１０に、本作業による修正をアップロードする。ローカルにおいて、リクエスト送信手段がない場合は、マネージャ装置１０へリクエストを送り、リクエストを受け取った他方の機器において削除処理を実行する。完了待ちの状態においては、図示しないが、ＧＵＩにリクエスト中であることを示すアイコンなどを表示する。
【００４３】
予約調整部１５は、接続部１００を通じてマネージャ装置１０と接続される上述の任意台数の番組録画装置すなわちテレビ装置１４０、レコーダ＜１＞１１０及びＨＤＤ１７０、レコーダ＜２＞１２０、レコーダ＜３＞１３０、ＰＣ＜１＞１５０及びＰＣ＜２＞１６０のいずれかまたは２以上から新規に録画予約（録画要求）があった場合、既に他の番組録画装置において「同じ番組についての録画予約」があるか否か、等を判断するとともに、その録画予約を要求した番組録画装置とは異なる番組録画装置による録画を推奨する、等の予約調整を行う。
【００４４】
例えば、録画予約を要求した番組録画装置に、放送時間が延長になる可能性がある直前の番組の録画予約があった場合、その時間帯の前後に録画予約がない、別の番組録画装置による録画予約を推奨することで、放送時間が延長になる可能性のある直前の番組の放送時間が実際に延長された場合等であっても、要求のあった番組の録画予約に影響が生じることが抑止される。また、録画予約の要求があった番組録画装置の残り記録容量が少ない場合、等においては、残り記録容量が十分な別の番組録画装置により録画予約を実行することで、録画予約の要求があった番組録画装置において、次の録画予約のために録画済みの番組のいくつかを（他の番組録画装置へ）移動する作業が生じる、等の別の作業が必要となることが低減される。
【００４５】
一方、録画予約を要求した番組録画装置において、既に一部の時間が重なる録画予約がある場合、要求のあった新規の録画予約が可能な別の番組録画装置の有無を判定し、録画予約が可能な別の番組録画装置が存在することを、録画予約の要求があった番組録画装置に通知できる。
【００４６】
また、予約調整部１５は、Ｅ−メール等によりマネージャ装置１０に対して外部から新規な録画予約の要求があった場合、特に有益である。例えば、特定の番組録画装置を指定した録画予約の要求があった（指定された）番組録画装置に既に録画予約がある、等においては、録画予約の可能な他の番組録画装置による録画予約が可能となる。なお、後段に詳述するが、指定された番組録画装置による録画予約が可能である場合はもちろん、録画予約の可能な他の番組録画装置による録画予約を受け付けた場合においても、返信Ｅ−メールにより、ユーザ（外部から予約要求の要求元）に対して、新しい予約先すなわち録画予約が可能な他の番組録画装置による録画予約が可能であることが、通知される。
【００４７】
なお、後段に詳述するが、予約調整部１５は、マネージャ装置１０のアカウントマネージャ１２（アカウント管理部１２−１、機器情報管理部１２−２及び予約リスト管理部１２−３）とグループ番組予約一覧管理部１３を参照し、番組データ保持部１４が保持する番組情報に基づいて、新規な録画予約の要求を実現できる番組録画装置を特定することは言うまでもない。
【００４８】
すなわち、予約調整部１５により、録画予約の重複を見つけるとともに、重複の問題を、上述した方法により調整して解消する。なお、予約調整部１５を、家庭内ネットワークのいずれかの番組録画装置が分担する場合、その番組録画装置がスリープする（電源オフ状態となる）、あるいはネットワークから切り離されることにより、実行不能となるため、同装置がネットワークから切り離される前に、他の番組録画装置に、上述の調整処理を渡すことが必要となる。例えば、ブロードキャストにより家庭内ネットワークに予約調整機能を有する装置があるか否かを確認し、予約調整機能を有する番組録画装置が存在することが確認できた場合に、その番組録画装置に現在の「ステータス」情報、等を渡すことになる。
【００４９】
予約調整部１５はまた、上述の録画予約の調整が複雑であることが特定できた場合、例えば他の番組録画装置についても、既に一部の時間が重なる録画予約が登録されている場合には、マネージャ装置１０に接続されているＰＣ＜１＞１５０またはＰＣ（モバイル＜２＞）１６０に対し、通信部１１を通じて『調整を求める』Ｅ−メールを送信し、録画すべき優先度の高い番組の録画予約を実行すべき番組録画装置を、ユーザに特定することを求める。
【００５０】
予約調整部１５はさらに、録画予約が可能であると推定できるが、実際に設定されている録画予約の確認ができない番組録画装置、例えば電源がオンされていない番組録画装置やＥ−メールによる録画予約が可能な番組録画装置において、Ｅ−メールを受信する時間に至る前である番組録画装置に対する録画予約の有無の確認については、通信部１１を通じ、上述の「ｉカレンダ」を更新する。
【００５１】
これにより、例えば電源がオンされていない番組録画装置が、その番組録画装置に設定された（別の）録画予約に従って起動した時点で、「ｉカレンダ」上でその番組録画装置を特定した録画予約の有無（または登録された録画予約の実行の可否）が判断できる。
【００５２】
また、Ｅ−メールによる録画予約が可能な番組録画装置がＥ−メールを受信する時間に至った時点で、「ｉカレンダ」が保持したその番組録画装置を特定した録画予約の有無（または登録された録画予約の実行の可否が）判断できる。
【００５３】
なお、Ｅ−メールによる番組の録画予約は、例えば図２に一例を示すメールフォームを用い、    
Ａ＞識別コード    「ｄｔｖｏｐｅｎ」    
Ｂ＞パスワード    「＠ａｂｘ３＝パスワード」    
Ｃ＞録画日    「２０２２０２２９」  ←  ２０２２年２月２９日    
Ｄ＞録画開始時刻    「ａｃａａ＝２４時制の時間と分」    
Ｅ＞録画終了時刻    「ｃａｂｄ＝２４時制の時間と分」    
Ｆ＞録画チャンネル    「○○＝放送種別に続けて３桁」    
Ｇ＞録画先    「□□＝登録された文字と数字」    
Ｈ＞録画モード（レート）    「△△＝指定された文字列」    
を、送信することで、登録できる。
【００５４】
図３は、マネージャ装置１０と接続される上述の任意台数の番組録画装置すなわちテレビ受信装置１４０、レコーダ＜１＞１１０、レコーダ＜２＞１２０、レコーダ＜３＞１３０、ＰＣ＜１＞１５０及びＰＣ＜２＞１６０から新規に録画予約（録画要求）があった場合、その新規な録画予約が既に登録されている録画予約に対して予約調整が必要か否かについての判定をソフトウエア的に示す。
【００５５】
例えば、図２に一例を示したメールフォームのＥ−メールにより新規仮予約（新規録画予約）が指示された場合［１１］、予約調整が行われる［１２］。
【００５６】
予約調整において、Ｅ−メールにより指示された新規仮予約を変更（修正）する必要があった場合［１３−ＹＥＳ］、新規仮予約を変更（修正）することにより録画予約が可能である場合［１４−ＹＥＳ］、変更した場合の『録画予約「案」』が、Ｅ−メールによりユーザに返信される。なお、『録画予約「案」』としては、例えば「番組録画装置を変更しましたが、録画予約が完了しました。録画予約は、レコーダ＜２＞（ＲＤ−○○○Ｘ）です。」等とする［１５］。
【００５７】
Ｅ−メールにより指示された新規仮予約を変更（修正）する必要があり［１３−ＹＥＳ］、新規仮予約を変更（修正）することによっても録画予約ができない場合（録画予約変更失敗）［１４−ＮＯ］、図５に一例を示すような『予約を登録できませんでした。重複した予約が既にあります。』等の、録画予約ができないこと（予約調整失敗）を通知するＥ−メールが、ユーザに返信される［１６］。
【００５８】
なお、Ｅ−メールにより指示された新規仮予約を変更（修正）する必要がない場合［１３−ＮＯ］、録画予約が終了したことがＥ−メールにより返信される［１７］。
【００５９】
図４は、図３に示した予約調整のより詳細な手順をソフトウエア的に示す。
【００６０】
Ｅ−メールにより新規仮予約（新規録画予約）が指示された場合［２１］、録画時間が重なっていないことがチェックされる［２２］。
【００６１】
録画時間が重なっている場合［２２−ＮＯ］、対象の（Ｅ−メールにより指示された）新規録画予約の番組を録画できる番組録画装置の有無が、機器情報管理部及びアカウント管理部が保持する情報（機器情報）の参照により、チェックされる［２３］。
【００６２】
対象の（Ｅ−メールにより指示された）新規録画予約の番組を録画できる番組録画装置が存在しない場合［２３−ＮＯ］、図５に一例を示すような『予約を登録できませんでした。重複した予約が既にあります。』等の、録画予約ができないこと（予約調整失敗）がＥ−メールによりユーザに返信される［２４］。
【００６３】
対象の（Ｅ−メールにより指示された）新規録画予約の番組を録画できる番組録画装置が存在した場合［２３−ＹＥＳ］、例えば「番組録画装置を変更しましたが、録画予約が完了しました。録画予約は、テレビ装置○○Ｚ△△△です。」、等の録画予約が終了したことを通知するＥ−メールが返信される［２５］。
【００６４】
なお、予約調整部１５による調整は、上述のアカウント管理部及び機器情報管理部が保持する情報ア＞及び１＞〜７＞に従うが、例えば変更先に対するチェックとして、    
ａ）既に予約が入っていないか？    
ｂ）録画開始時間までの時間（何分前まで予約設定可能か？）    
ｃ）装置がＯＦＦの場合、次に、いつ予約サーバのチェックがあるか？    
すなわち対象の装置が予約リストを取りにくるスケジュール、等がある。
【００６５】
また、（Ｅ−メールにより指定された）番組録画機器において録画が可能であっても、例えばＨＤＤ残り記録容量等に基づき、録画予約を振り替える（指定された番組録画機器とは異なる番組録画機器に録画予約を設定する）ことも可能である。
【００６６】
録画済番組リスト保持部１６は、予約リスト管理部１２−３が保持する個々の番組録画装置、すなわち図１に示したレコーダ＜１＞１１０、レコーダ＜２＞１２０、レコーダ＜３＞１３０、テレビ装置１４０、・・・、ＨＤＤ１７０等において、録画予約に従って「録画」が終了した録画済番組の番組名、録画開始日時と終了日時、あるいは録画開始日時と時間（番組長）、チャンネルまたは番組供給元、フォーマット及び録画モード等を、番組録画装置毎に、上述した録画番組一覧管理部（結合録画済番組リスト作成部）１７が参照可能な形式で、個別リストとして保持する。なお、個別リストには、各録画済番組に固有の情報として、ＤＴＣＰ（Digital Transmission Content Protection）／ＤＴＣＰをＤＮＬＡに適用したＤＴＣＰ−ＩＰ（Internet Protocol）の認証や視聴年齢制限、ダビング（コピー）の許諾及び回数制限等である録画済番組を再生する際に再生が制限を受けることがある環境（要因）に関する情報、等が付属できる。また、各録画済番組の固有の情報には、それを録画した機器の情報、例えば製造メーカ名、録画した装置（内蔵ＨＤＤ）の製造番号（識別用ＩＤ）、等も付加される。
【００６７】
録画番組一覧管理部１７は、録画済番組リスト保持部１６が保持する上述の個々の番組録画装置が録画した番組の（個別）リストを結合し、例えば、上述の「ｉカレンダ」型式で参照可能な『結合録画済番組リスト』を作成する。なお、上述の統合録画済番組リストは、任意の番組録画装置にて録画済番組が増える（各番組録画装置において、録画予約に従って「録画」が終了する）毎に、マネージャ装置１０及び通信部１１の制御に従って、更新される。また、「ｉカレンダ」が表示する統合録画済番組リストも、任意の番組録画装置にて録画済番組が増える（各番組録画装置において、録画予約に従って「録画」が終了する）毎に更新される。
【００６８】
なお、個々の録画済番組が同一の番組を含む場合であっても、フォーマット／モード／レート／録画に用いた機器の識別用ＩＤ等ともに、一覧表示される（結合録画済番組リストに、それぞれ、リストされる。
【００６９】
録画番組一覧管理部１７が作成した（「ｉカレンダ」形式の）『結合録画済番組リスト』は、図６に一例を示す、一般的なブラウザを用いて表示した例において、毎週月曜日に、レコーダ＜１＞１１０（図１参照）において、１４時００分から「○○○・・・」が録画済であり、２２日（月曜日）については、テレビ装置１４０において、１１時００分から「△△△〜〜〜」が録画済であることがわかる。
【００７０】
同じく２２日については、レコーダ＜２＞１２０において、１９時００分から「□□・・□□〜」が録画済であることがわかる。
【００７１】
なお、図６に示した「ｉカレンダ」をサポートする任意の端末装置、例えばＰＣ（パーソナルコンピュータ）２０１（図１参照）や、スマートフォン（Ｘ０１Ｔ（商品名））３０１（図１参照）等により、図７Ａに示すように、随時閲覧することができる。『結合録画済番組リスト』の例を図１０に示す。また、スマートフォン３０１にビューワーが用意されていない場合、等においては、スマートフォン向けプレーヤーアプリ（アプリケーション）をダウンロード（取得）可能に、例えばスマートフォンの製造元もしくは供給元が提供するウェブサイト（ホームページ）へ案内することも可能である（「リンク」が用意されている等）。
【００７２】
この場合、再生装置（ローカル）は、録画済番組リストを読み出し、表示装置の画面に表示することができる。その際、番組がローカル（再生装置）にない場合は、録画済番組リストに記述されているプロトコルに対応しているかどうかをチェックし、対応している場合のみ、その番組名をリストに表示することもできる。すなわち、リストされた番組がローカル（再生装置）にない場合、再生装置は、ユーザからリスト中の番組の再生が指示された場合、プロトコルとアドレス情報を参照し、ローカル（再生装置）の場合は、対応する装置（メディアプレーヤ）に再生を指示し、ネットワークの場合は、所定の手順にてネットワーク上のサーバに対して、ストリーミングを含むデータダウンロードを指示することで、任意の装置で録画された録画済番組を再生できる。
【００７３】
ところで、任意の番組を録画する際には、番組の録画に用いた録画機器は、その番組を録画することが許可されている。例えば、ＢＳデジタル放送等の番組については、ＣＡＳカードによる認証の後、録画が可能となる。従って、録画済番組一つひとつは、録画時に要求のある様々な許諾や、録画可能要件をクリアした状態にある。
【００７４】
反面、ネットワーク（ＤＮＬＡ）内の特定の録画機器を用いて任意（別）の録画機器が録画した録画済番組を再生しようとした場合、『結合録画済番組リスト』にリストされた全ての番組が全て（任意）の録画機器において、再生できるとは限らない。例えば、対象の録画済番組のフォーマットに対応していない（サポートしていない）、視聴年齢制限があるため再生許諾が必要となる、等の理由により、特定の録画機器（ローカル）から再生要求があった場合は、その録画機器（ローカル）による再生が許可されている番組のみを『結合録画済番組リスト』として提示することが好ましい。
【００７５】
このような背景に基づき、図８に示すような、ネットワーク（ＤＮＬＡ）内の録画機器のそれぞれに許容される機能や対応するフォーマット等を示す『機器情報リスト』によりフィルタリングして、録画済番組を再生（視聴）しようとしている録画機器（ローカル）が再生可能な番組のみを提示することが好ましい。
【００７６】
図８において、「配信機器」は、任意の録画機器を番組録画に利用した場合に、録画済番組に適用される機能や対応フォーマットを示し、「再生機器」は、任意の録画機器を、録画済番組の再生（視聴）に用いる場合に適用される機能や対応フォーマットを示す。
【００７７】
なお、「再生機器」においては、その録画機器（ローカル）が動作中である場合に適用される機能や条件を含む。例えば、通常時（非動作時）に、例えば「ＴＳ」形式の放送が標準的な記録モード（レート）で録画された録画済番組［Ｘ］を再生可能な録画装置（ローカル）であっても、モード（レート）変換を必要とするダビングのために動作している間は、録画済番組［Ｘ］を再生できない、等を条件の一つとしてあげることができる。従って、『機器情報リスト』における「再生機器」欄に、動作状態に従う機能制限の有無、または除外条件等を示す「ステータス」が付属することが好ましい。「ステータス」は、比較的高い頻度で表示することの多い要因または条件に対しては、例えば、アイコン（icon）、もしくはピクトグラム等による表示が好ましい。もちろん、文字列による直接的な表示も可能とする。なお、文字列については、ティッカ（Ticker、一定の表示領域内に文字列を流して（スクロールして）表示）等の手法を用いることで、多くのメッセージを表示できる。
【００７８】
また、「再生機器」においては、ローカル（再生しようとしている機器）に予定されている動作と関連して、適用される機能や条件を含む。例えば、ローカルにおいて、再生を予定している番組の終了時間よりも前に実行を開始する必要のある録画予約がある、等を条件の一つとしてあげることができる。従って、『機器情報リスト』における対象の「再生機器」欄に、再生可能時間、または録画予約の実行により再生が中断されることを示す「ステータス」が付属することが好ましい。
【００７９】
また、「再生機器」においては、ローカルあるいは任意の装置で、途中まで再生されたことのある番組については、その情報を、表示できる。例えば、ローカルとは異なる機器において、「Ｎ（Ｎは再生時間を示し、時間／分／秒のいずれかまたは組み合わせ）」だけ、もしくはチャプタの数によりＹ／Ｚ（Ｙは再生済チャプタ数／Ｚは全てのチャプタの数）、等を、表示できる。
【００８０】
また、「ステータス」、「モード」あるいは「フォーマット」としては、図８と一部が重複する例もあるが、例えば、    
□配信機能＜送信＞として、    
○ＤＬＮＡ    
○ＤＬＮＡ−ＤＭＣ（- Digital Media Controller）    
○ＤＬＮＡ−ＤＭＰ（- Digital Media Player）    
○ＤＬＮＡ−ＤＭＳ（- Digital Media Server）    
○ＤＴＣＰ−ＩＰ（- Internet Protocol）    
○ネット de ダビング＜Ｒ○−Ｅ１０◇◇Ｋ（製品名）にて可能＞    
○ＨＤＭＩ    
□記録モード＜送信＞として、    
○動画＜ＭＰＥＧ−１／−２／−４（ＡＶＣ）／ＴＳ（パススルー）／Ｖｉｄｅｏフォーマット／ＶＲフォーマット／解像度／コピーワンス／ダビング１０＞    
○静止画＜ＪＰＥＧ（Joint Photographic Experts Group）＞    
○音楽＜ＷＡＶ（WAVe form audio format）／ＭＰ３（MPEG Audio layer-3）／ＰＣＭ（Pulse Coded Module）＞    
○配信制限（地域／年齢）    
□再生機能＜受信＞として、    
○ＤＬＮＡ    
○ＤＬＮＡ−ＤＭＣ    
○ＤＬＮＡ−ＤＭＲ    
○ＤＬＮＡ−ＤＭＳ    
○ＤＴＣＰ−ＩＰ    
○ネット de ダビング＜Ｒ○−Ｅ１０◇◇Ｋ（製品名）にて可能＞    
○ＨＤＭＩ    
○電源オフ    
○ＷＯＬ（Wake on LAN）    
□記録モード＜受信＞    
○動画＜ＭＰＥＧ−１／−２／−４（Ｈ−２６４ＡＶＣ）／ＴＳ（パススルー）／ファイファイナライズ（の有無）／ファイナライズ［実行中］＞    
○静止画＜ＪＰＥＧ＞    
○音楽＜ＷＡＶ／ＭＰ３＞    
等のいずれか、あるいはその組み合わせを考えることができる。
【００８１】
また、配信における機能上の制約（配信制限）については、その情報の有無をサーバにアップロードすべき要素として、    
例えば、録画中は、ＤＭＳ配信できない、等    
「配信が番組の再生途中で中止される可能性がある（ため）、録画済リストを要求された場合において、    
Ａ）配信上の制約があるか、を確認    
Ａ−１）配信制限状態であるかどうかのフラグ、を確認    
Ａ−２）配信制限が録画モードの場合、予約リスト、を確認    
→該当する予約がコンテンツ再生時間内に発生するか、を確認    
Ａ−１）またはＡ−２）に該当する場合、    
Ｂ−１）制約のない、他の再生可能機器を探す    
Ｂ−２）Ｎ分後に、再生が停止すること、を（ユーザに）報知    
等、を考慮することが必要である。
【００８２】
また、機能上の制限について、例えば、    
機器の内部状態（ｓｔａｔｅ）をサーバにアップロード    
→（あるいは）サーバから定期的に問い合わせ    
→＜ｓｔａｔｅ＞  電源オン(○)／電源オフ(×)    
→[０]：配信制限なし    
→[１]：ＴＳ録画中は、ＮＧ＜不可＞    
→[２]：メンテナンス中は、ＮＧ＜不可＞    
等、を考慮することが必要である。
【００８３】
また、ローカル（再生装置自身）が保持する番組を、ネットワーク上の機器に開示している再生装置は、    
１）ネットワークからの再生を受け付けられない状態になる前に、同期システムの機器情報にそのフラグをセットする    
２）ユーザ操作などにより、スリープあるいはＯＦＦする場合は、同期システムの機器情報にそのフラグをセットし、必要に応じて、ＷＯＬするための情報（たとえばＭＡＣアドレス）を合わせてセットする    
ことにより、利便性が向上する。
【００８４】
なお、上述の「ローカル（再生機器）」が再生可能な録画済番組を一覧表示する『結合録画済番組リスト』を作成する際の上述したフィルタリングは、図９Ａ及び図９Ｂに一例を示す通り、ローカル（例えばテレビ装置１４０）からの録画済番組リストの送信要求があった場合、接続部１００、マネージャ装置１０の通信部１１を経由した録画番組一覧管理部１７との接続の確立に続いて、録画済番組リスト保持部１６が保持する上述の個々の番組録画装置が録画した番組の（個別）リストの読み出しが要求される［Ａ１］。
【００８５】
個別リストの読み出し要求に従い、録画済番組リスト保持部１６が保持する上述の個々の番組録画装置が録画した番組の（個別）リストが読みだされ［Ｂ１］、上述の「ｉカレンダ」型式で参照可能な『結合録画済番組リスト』が作成される［Ｂ２］。
【００８６】
作成された『結合録画済番組リスト』は、図９Ｂに示す解析工程として、図８に一例を示した「録画済番組供給元（配信機器）」リストを参照し［Ｃ１］、ローカルが閲覧可能な録画済番組を提供（配信）することのできる配信機器の機能及び条件がリストされる［Ｃ２］。同時に、または所定のタイミングで、再生要求のあった機器（ローカル）について、再生可能な録画済番組の情報（再生機器の機能及び条件）を取得［Ｃ３］し、配信機器の機能及び条件のリストと比較し［Ｃ４］、ローカルが再生できない番組を『結合録画済番組リスト』から除外する［Ｃ５］。従って、ローカル（再生要求のあった機器）による再生が可能な録画済番組のみがリスト（フィルタリング）された『結合録画済番組リスト』が得られる［Ｃ６］。フィルタリングされた（特定の再生機器向けの）『結合録画済番組リスト』の例を図１１に示す。
【００８７】
このようにして得られたフィルタリングされた『結合録画済番組リスト』が、図７Ｂに示す通り、クラウド上の「ｉカレンダ」として閲覧可能に、アップデートされる［Ｂ３］。
【００８８】
なお、「フィルタリングされた『結合録画済番組リスト』」は、ローカル（再生要求のあった機器）に、ＵＩ（User Interface）表示可能に、供給される［Ａ２］。
【００８９】
また、図９Ａ及び図９Ｂにより上述した「フィルタリング」は、例えば、    
□＜再生機器(ｘ)＞録画済リスト要求    
□クラウドサーバ    
○結合録画済リスト作成部  →  録画済リスト蓄積部に「録画済リスト」を要求    
○録画済リスト蓄積部は、「録画済リスト」を１つにマージする    
→『結合録画済リスト』作成    
○録画済リスト蓄積部は、『結合録画済リスト』を送り返す    
○結合録画済リスト作成部は、『結合録画済リスト』の［解析］を行う    
□［解析］    
○番組を配信する機器を取り出す（抽出／サーチ）    
○配信機器の配信機能を配信機能リストから取り出す（サーチ／抽出）    
○再生機器の再生機能を配信（機能）リストから取り出す（サーチ）    
○コンテンツを再生機器が受信できる組み合わせがあるか、を確認（サーチ）    
○＜Ｙ＞配信機器を取り出す（抽出［○］／受信可能）    
○＜Ｎ＞統合録画済リストからコンテンツを削除（受信不能／抽出［×］）    
□クラウドサーバ    
○結合録画済リスト作成部  →  『結合録画済リスト』を要求    
□＜再生機器(ｘ)＞録画済リスト受信    
と、ソフトウエア的に説明することができる。
【００９０】
以下、「フィルタリングされた『結合録画済番組リスト』」は、ローカルにて、ＵＩ表示のために保持され、ローカルの表示条件または表示方法に従い、表示される［Ａ３］。
【００９１】
従って、視聴者（ローカルから録画済番組リストを要求したユーザ）は、ローカルにおいて、現在、再生（視聴）できる録画済番組を、再生途中での中断、あるいはローカルに予定された録画予約のキャンセル、あるいは他の録画可能機器への予約変更等を伴うことなく、再生できる。なお、「フィルタリングされた『結合録画済番組リスト』」は、図８に示した「ステータス」を含むことから、例えば、ローカルに設定されている録画予約が開始するまでの間、といった限定的な番組の再生を選択することも可能である。
【００９２】
なお、「ｉカレンダ」は、ローカルがＤＬＮＡ−ＤＭＰに対応している場合、ＤＬＮＡ−ＤＭＣに対応する閲覧装置であるスマートフォン３０１やＰＣ２０１（図１を例とした場合、ＰＣ＜２＞１６０を携行する場合を含む）から、『結合録画済番組リスト』に付属する「ステータス」に従い、ローカルの動作予定（録画予約）を、視聴予定の録画済番組の視聴に影響が及ぶことのないよう、変更することが可能である。また、「ｉカレンダ」の閲覧に用いる閲覧装置（スマートフォンやＰＣ＜２＞等）がローカル（再生機器）である（ローカルで「ｉカレンダ」を閲覧している）場合、ローカルに装備されているフォーマットに適合する録画済番組を、その場で再生（視聴）できる。但し、コピーワンス（Copy Once、移動＜Move＞のみ可能）な番組については、録画に用いた機器による再生（視聴）を促すメッセージ等を表示させ、番組が不用意に視聴（再生）できなくなる可能性を排除してもよい。
【００９３】
図１０に、『結合録画済番組リスト（録画リスト）』の表示例を、図１１に、レコーダ＜３＞１３０向けに「フィルタリングされた『結合録画済番組リスト（録画リスト）』」の表示例を、示す。なお、それぞれの表示例は、テレビ装置１４０については、実質的に表示部に表示される表示画面例であるが、レコーダ＜３＞１３０については、レコーダ＜３＞１３０に接続されるモニタ装置（またはテレビ装置１４０）において表示される表示画面例である。
【００９４】
図１０は、『結合録画済番組リスト（録画リスト）』の表示例であり、画面表示１００１中の選択番組表示領域１０１０に、現在、カーソルが位置している（表示が反転表示されている）表示１０１２で録画されている番組の再生映像が表示される。なお、表示１０１２〜１０１９の所定の位置（この例では、左側の先頭付近）の番組録画装置表示欄１０１１に、それぞれの表示１０１２〜１０１９が表示する録画（済）番組を録画した番組録画装置を示す記号またはアイコン（icon）状の識別マークが表示され、それぞれの番組が録画されている番組録画装置が識別可能である。
【００９５】
例えば、表示１０１２〜１０１４は、テレビ装置（図１の１４０）、表示１０１５と１０１６は、レコーダ＜１＞（図１の１１０）、表示１０１７は、レコーダ＜２＞（図１の１２０）、表示１０１８は、レコーダ＜３＞（図１の１３０）に録画されていることがわかる。
【００９６】
このことは、レコーダ＜３＞が、再エンコードすなわちモード変換を必要とせずに再生可能な番組は、表示１０１８の番組のみであり、例えば表示１０１５と１０１６は、この段階では、レコーダ＜３＞が再生できない（受信対象とならない）ことを示している。
【００９７】
図１０及び図１１により、レコーダ＜３＞１３０が再生可能に「フィルタリングされた『結合録画済番組リスト』」においては、図１０が示す『結合録画済番組リスト』から、表示１０１８の番組のみが抽出された状態であることが認められる。
【００９８】
図１２は、例えば、スマートフォン（携帯端末装置）にて、図６に示した『結合録画済番組リスト』（スマートフォンにおいて、図７Ａに示すように、『結合録画済番組リスト』が参照可能な状態）から、図８により説明した「ステータス」、「モード」、「フォーマット」及び「配信制限」等を考慮して、「フィルタリングされた『結合録画済番組リスト』」に従い、任意の再生装置に、録画済番組の再生を指示する例を示す。
【００９９】
図７Ａに示す例において、特定の番組または日付の表示にユーザが触れることで、あるいはアイコン等により、ユーザが特定の番組または日付を選択することで、一日分または所定時間範囲、もしくは特定の番組名が、図１２（ａ）の例に従い、スマートフォン３０１の表示領域内に、所定の大きさに表示される（例えば、拡大表示となる）。なお、［ＬＡＮ］／［ｄｌｎａ］／［結合番組］等の『結合録画済番組リスト』を保持する録画番組一覧管理部（結合録画済番組リスト作成部）１７（図１参照）へのアクセスを可能とする表示、すなわちアイコン（またはボタン、以下ネットワークアクセスアイコンと称する）３１１が表示される。
【０１００】
ネットワークアクセスアイコン３１１にユーザが触れることで、またはアイコン３１１等により、ユーザがアクセスを入力することで、図１２（ｂ）に一例を示す、『結合録画済番組リスト』にマージされている番組を保持する記録装置及び再生装置もしくは記録再生装置名、またはアイコン、もしくはピクトグラム（図１０の表示１０１２〜１０１８の先頭にある記号）が、表示される。
【０１０１】
以下、例えば、レコーダ＜３＞１３０（図１参照）が選択されると、図１２（ｃ）に一例を示すが、図８、図９Ａ及び図９Ｂにより説明したフィルタリングに従い、レコーダ＜３＞が再生（受信）可能な「フィルタリングされた『結合録画済番組リスト』」が３２１が表示される。なお、単一画面で表示できない場合には、表示がスクロールできることを示す、２方向（送り（順）方向）及び戻り（逆）方向）を示す「矢印ボタン（アイコン）」等が同じ画面に表示されることはいうまでもない。
【０１０２】
なお、表示については、スマートフォン毎に異なること、製造元（供給元）で分類可能な配列や機能があることは、いうまでもない。
【０１０３】
また、表示方法、すなわち、個々の『表示』については、例えば、表示すべき文字数に応じてその全長が変化することを基本とするが，文字数が多い場合には，［ｔｉｃｋｅｒ（ティッカ）］と呼ばれる表示領域内スクロールにより、文字列の先頭から終端までが、表示可能な範囲内を、順次移動する方式（表示方法）、等があり、任意の表示方法が利用できることはいうまでもない。
【０１０４】
なお、図１３に示すように、図６、図７Ａ及び図７Ｂで説明した「ｉカレンダ」に代えて、ネットワーク（インターネット／クラウドコンピューティング）上に用意されている『録画済番組リスト保持部（サーバ）』を用いることもできる。
【０１０５】
このように、本実施の形態によれば、２以上の記録装置が独立に記録した番組を、再生側となる装置の再生能力、動作状態、あるいは番組の特別な区分に従う記録時に用いた装置以外での再生に関する条件等を反映した再生側装置に再生が許可される番組の再生（配信）が可能となる。
【０１０６】
従って、２以上の記録装置を有するユーザの番組再生時の利便性が向上する。
【０１０７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０８】
１０…マネージャ装置、１１…通信部、１２…アカウントマネージャ、１２−１…アカウント管理部、１２−２…機器情報管理部、１２−３…リスト管理部、１３…グループ番組予約一覧管理部、１４…番組データ保持部、１５…予約調整部、１６…録画済番組リスト保持部、１７…録画番組一覧管理部（結合録画済番組リスト作成部）、１００…接続部、１０１…番組録画管理システム、１１０…レコーダ＜１＞、１２０…レコーダ＜２＞、１３０…レコーダ＜３＞、１４０…テレビ装置、１５０…ＰＣ（Personal Computer＜１＞）、１６０…ＰＣ＜２＞（Mobile Computer）、１７０…（ＵＳＢ接続）ＨＤＤ、２０１…ＰＣ（Mobile Computer）、３０１…スマートフォン（携帯端末装置）。
【図１】
2012034236.tif 000003
【図２】
2012034236.tif 000004
【図３】
2012034236.tif 000005
【図４】
2012034236.tif 000006
【図５】
2012034236.tif 000007
【図６】
2012034236.tif 000008
【図７Ａ】
2012034236.tif 000009
【図７Ｂ】
2012034236.tif 000010
【図８】
2012034236.tif 000011
【図９Ａ】
2012034236.tif 000012
【図９Ｂ】
2012034236.tif 000013
【図１０】
2012034236.tif 000014
【図１１】
2012034236.tif 000015
【図１２】
2012034236.tif 000016
【図１３】
2012034236.tif 000017